(57)【要約】【課題】デザイン性を損なわず脱着しやすいランプを提供することを目的とする。【解決手段】ランプ１０Ａは、電源用ソケットに装着されるＧＸ５３口金１１と、上部にＧＸ５３口金１１が取り付けられたランプ本体１３Ａと、ランプ本体１３Ａの下部側の凹部の奥に取り付けられたバルブ１２Ａと、ランプ本体１３Ａの内部に配設され、ＧＸ５３口金１１を介して電源から供給される電力を用いて、バルブ１２Ａを点灯する点灯装置１３１Ａと、バルブ１２Ａを覆い、ランプ本体１３Ａの側面部に上下方向にスライド自在に取り付けられたグローブ１４Ａとを備える。ランプを脱着する際に、グローブ１４Ａを下方向にスライドしてランプ１０Ａを掴み易くし、電源用ソケットとランプ１０Ａとを取り外しやすくする。【選択図】図１
2010232075.tif 000002
【特許請求の範囲】
【請求項１】
電源用ソケットに装着される口金と、
上部に前記口金が取り付けられた筐体と、
前記筐体の下部側の凹部の奥に取り付けられた発光体と、
前記筐体の内部に配設され、前記口金を介して電源から供給される電力を用いて、前記発光体を点灯する点灯装置と、
前記発光体を覆い、前記筐体の側面部に上下方向にスライド自在に取り付けられたグローブとを備える、ことを特徴とするランプ。
【請求項２】
前記グローブの側面部は、前記筐体の側面部に上下方向にスライド自在に取り付けられ、
前記グローブの側面部及び前記筐体の側面部には、前記グローブを最下端にスライドした際に、前記グローブが前記筐体から外れることを防止し、且つ、前記グローブが前記筐体に対してスライドする方向以外の方向にずれることを防止する下部ストッパー部が形成され、
前記口金と前記電源用ソケットとが接する面の中心を通る鉛直線を軸として、前記グローブに回転する力を加えることにより、前記グローブと前記筐体とを一体的に回転させて、前記口金と前記ソケットとを着脱可能にする、ことを特徴とする請求項１に記載のランプ。
【請求項３】
前記グローブの側面部及び前記筐体の側面部には、前記グローブを上方向にスライドした際に、前記グローブが前記筐体の側面部に沿って下方向に滑り落ちることを防止する上部ストッパー部が形成されている、ことを特徴とする請求項２に記載のランプ。
【請求項４】
前記グローブの表面に、指を掛けるための凹部が形成されている、ことを特徴とする請求項１乃至３の何れか１項に記載のランプ。
【請求項５】
前記グローブは、前記発光体を覆う底部に、前記発光体から発した光を照射する円形の照射面が形成され、
前記凹部が、前記照射面の点対称となる２箇所の位置に形成されている、ことを特徴とする請求項４に記載のランプ。
【請求項６】
前記口金は、ＩＥＣ（国際電気標準会議）７００４−１４２−１及び、ＪＩＳ（日本工業規格）  Ｃ７７０９−１に規定されているＧＸ５３型の口金によって構成されている、ことを特徴とする請求項１乃至５の何れか１項に記載のランプ。
【請求項７】
前記発光体は、蛍光灯又は発光ダイオードによって構成されている、ことを特徴とする請求項１乃至６の何れか１項に記載のランプ。
【請求項８】
請求項５乃至７の何れか１項に記載のランプと、
前記ランプを装着する装着部が前記ランプの上下方向の長さと前記電源用ソケットの厚さとを合わせた深さに凹んだ形状に形成され、前記装着部の凹んだ奥部に前記電源用ソケットが取り付けられた照明器具本体と
を備え、
前記電源用ソケットに前記口金が装着された際に、前記下部ストッパー部によって前記グローブと前記筐体とが止められると、前記グローブの底部が前記照明器具本体の下面部から突き出し、前記上部ストッパー部によって前記グローブと前記筐体とが止められると、前記グローブの底部と前記照明器具本体の下面部とは平坦になる、ことを特徴とする照明器具。
【発明の詳細な説明】
【技術分野】
【０００１】
本発明は、ランプ及びこのランプを備えた照明器具に関する。
【背景技術】
【０００２】
近年、照明器具の分野においては、デザイン性が重視されるようになり、居住空間との調和、特に天井や壁面との一体感が求められている。そこで、ＩＥＣ（国際電気標準会議）７００４−１４２−１により規格化され、また、平成１９年５月にＪＩＳ（日本工業規格）  Ｃ７７０９−１により規格化された、薄くて平面的な構造のＧＸ５３型口金を使用した薄型のランプが製造、販売されるようになってきた（例えば、特許文献１参照）。
【先行技術文献】
【特許文献】
【０００３】
【特許文献１】特開２００８−０５３０５９号公報
【発明の概要】
【発明が解決しようとする課題】
【０００４】
ＧＸ５３型口金を使用したランプは、薄く平面的に形成されたのものが多い。このランプを照明器具本体に装着すると、照明器具本体と一体化して、照明器具本体からランプが突出した部分がほとんど無い。そのため、照明装置本体やソケットからランプを取り外しにくく、メンテナンス性が劣る問題がある。
【０００５】
特許文献１に記載されている技術は、ＧＸ５３用のアダプタを介してランプを設置することにより、ランプを容易に脱着しやすくするものである。しかし、アダプタが別途必要である。また、この技術では、アダプタの厚さだけ照明器具本体が厚くなるため、デザイン性を損ねる。
【０００６】
本発明は、上述した事情に鑑みてなされたものであり、デザイン性を損なわず、脱着しやすいランプ及びこのランプを備えた照明器具を提供することを目的とする。
【課題を解決するための手段】
【０００７】
本発明の第１の観点に係るランプは、
電源用ソケットに装着される口金と、
上部に前記口金が取り付けられた筐体と、
前記筐体の下部側の凹部の奥に取り付けられた発光体と、
前記筐体の内部に配設され、前記口金を介して電源から供給される電力を用いて、前記発光体を点灯する点灯装置と、
前記発光体を覆い、前記筐体の側面部に上下方向にスライド自在に取り付けられたグローブとを備える、ことを特徴とする。
【０００８】
本発明の第２の観点に係る照明装置は、
第１の観点に係るランプと、
前記ランプを装着する装着部が前記ランプの上下方向の長さと前記電源用ソケットの厚さとを合わせた深さに凹んだ形状に形成され、前記装着部の凹んだ奥部に前記電源用ソケットが取り付けられた照明器具本体と
を備え、
前記電源用ソケットに前記口金が装着された際に、前記下部ストッパー部によって前記グローブと前記筐体とが止められると、前記グローブの底部が前記照明器具本体の下面部から突き出し、前記上部ストッパー部によって前記グローブと前記筐体とが止められると、前記グローブの底部と前記照明器具本体の下面部とは平坦になる、ことを特徴とする。
【発明の効果】
【０００９】
本発明によればデザイン性を損なわず、脱着しやすいランプ及このランプを備えた照明器具を提供することができる。
【図面の簡単な説明】
【００１０】
【図１】本発明の第１の実施形態に係るランプの構成の一例を示す図である。
【図２】ランプの側面と平面との一例を示す断面図である。
【図３】グローブの側面と平面との一例を示す断面図である。
【図４】ランプのグローブを引き出した状態の一例を示す断面図である。
【図５】照明器具本体からランプを脱着する動作の一例を示す断面図である。
【図６】照明器具本体からランプを脱着する動作の一例を示す下面図である。
【図７】本発明の第２の実施形態に係るランプの構成の一例を示す図である。
【図８】本発明の第３の実施形態に係るランプの構成の一例を示す断面図である。
【発明を実施するための形態】
【００１１】
以下、本発明の実施形態に係るランプ及び照明装置について、図面を参照しながら説明する。
【００１２】
（第１の実施形態）
本発明の第１の実施形態に係るランプ１０Ａは、図１（Ａ）に示すように、ＧＸ５３口金１１と、バルブ１２Ａと、点灯装置１３１Ａと、ランプ本体１３Ａと、グローブ１４Ａとを備える。
【００１３】
ＧＸ５３口金１１は、その厚さＧが２０ｍｍ程度と薄く、上面と下面が円形に形成されている。また、ＧＸ５３口金１１の上面と下面との中央部分には、上面から下面まで突き抜けた貫通孔が形成されている。ＧＸ５３口金１１は、口金ピン１１１をＧＸ５３受け口金１５やＧＸ５３専用の電源用ソケットの接続金具１５１に対し、回転させて装着する（図６（Ａ）参照）。
バルブ１２Ａは、ガラス製等の透明な放電容器と、内面に形成された希土類等の蛍光体層と、封入された水銀を含む放電媒体と、電極とを備える。バルブ１２Ａは、厚さが薄くＵ字型の構造をつなぎ合わせた形状である。バルブ１２Ａは、ランプ本体１３Ａの下部側の凹部とグローブ１４との間の空間に収まるように形成されている。なお、バルブ１２Ａは本発明の発光体の一例である。
点灯装置１３１Ａは、ＧＸ５３口金１１を介して供給される電力を、高周波の電力に変換してバルブ１２Ａに供給し、バルブ１２Ａを点灯させる。
【００１４】
ランプ本体１３Ａは、図１（Ｃ）に示すように底面（上面）が円形であり、図１（Ｂ）に示すように厚さＬが底面（上面）の半径Ｒよりも小さく、下部側に凹部が形成された円柱状の筐体である。ランプ本体１３Ａは、内部に点灯装置１３１Ａを配設し、上部にＧＸ５３口金１１を装着し、下部側の凹部の奥にバルブ１２Ａを装着する。なお、ランプ本体１３Ａは、ＧＸ５３口金１１に形成された貫通孔の内部空間を埋めるように上部の中央部分が凸に形成されている。点灯装置１３１Ａは、ランプ本体１３Ａの凸に形成された部分の内部に配設されており、ＧＸ５３口金１１の貫通孔の内部に位置する。
ランプ本体１３Ａの側部には、図２（Ａ）に示すように、グローブ１４Ａが上下方向にスライドすることができるように縦溝１３３が形成されいる。
また、縦溝１３３に沿ってグローブ１４Ａの突起部１４１を滑らせて引き出した際に、グローブ１４Ａがランプ本体１３Ａから外れることを防止し、且つ、グローブ１４Ａがランプ本体１３Ａに対してスライドする方向以外の方向にずれることを防止するストッパー部１３２が、ランプ本体１３Ａの側部の外側の最下端部に形成されている。
さらに、グローブ１４Ａを押し戻して収容した際に、グローブ１４Ａが収容された位置からランプ本体１３Ａの側部に沿って下方向に滑り落ちるのを防止するために、グローブの突起部１４１を引っ掛ける横溝１３４が形成されている。
【００１５】
図１（Ａ）に戻り、グローブ１４Ａは、ガラスやプラスチック等の素材で形成され、入射光を拡散させる。グローブ１４Ａは、ランプ本体１３Ａに装着されたバルブ１２Ａを覆う照射面が円形の底部と、ランプ本体１３Ａの側部に嵌め合わせ、且つ、スライドできる形状の側部とが形成されている。
グローブ１４Ａの底部の外部表面には、図１（Ｃ）に示すように、照射面の中心に対して点対称となる２箇所に、凹部１４２が形成されている。この凹部１４２に人が指を入れ掴むと、グローブ１４Ａの底部の照射面の中心に対して均等に力が加わるので、グローブ１４Ａを回転したり、引き出したりしやすい。
さらに、グローブ１４Ａの側部の内側の上部には、図３（Ａ）及び図３（Ｂ）に示すように、ランプ本体１３Ａの縦溝１３３及び横溝１３４を滑る突起部１４１が形成されている。
【００１６】
グローブ１４Ａをランプ本体１３Ａに対して下方向にスライドさせてランプ１０Ａの全体を伸した場合、図１（Ａ）及び図４に示すように、ランプ１０Ａの長さがＨ（Ｈ＝Ｌ＋Ｇ）からＨ＋αになる。
【００１７】
次に、本実施形態のランプ１０Ａが装着される照明器具本体１６の構成について説明する。
照明器具本体１６は、図５（Ａ）に示すように、ＧＸ５３用ソケット１５と、ランプ１０Ａとを備える。
【００１８】
ＧＸ５３用ソケット１５は、図６（Ａ）に示すように、ＧＸ５３口金１１を取り付ける際に、口金ピン１１１を挿入し回転移動させて固定することができる孔と、口金ピン１１１を孔の中に入れて固定したときに接触して電源とランプ１０Ａとを導通することができる接続金具１５１とが形成されている。
【００１９】
図５（Ａ）に戻り、照明器具本体１６は、下面部にランプ１０Ａを装着することができ、装着する部分には、ＧＸ５３用ソケット１５の厚さＳと、ＧＸ５３口金１１の厚さＧと、ランプ本体１３Ａの厚さＬとを合わせた深さの凹部が形成されている。この照明器具本体１６の凹部の奥にＧＸ５３用ソケット１５が装着されている。この照明器具本体１６の凹部に、グローブ１４Ａを押し戻した状態のランプ１０Ａを装着すると、ランプ１０Ａが照明器具本体１６との装着部分の内部に収まり、下面部とランプ１０Ａの底部とが平坦になる。
【００２０】
次に、本発明の第１の実施形態の動作を説明する。
通常使用時は、図５（Ａ）に示すように、ランプ１０ＡのＧＸ５３口金１１が、それに適合するＧＸ５３ソケット１５を備える照明器具本体１６に装着されている。この場合、ランプ１０Ａが照明器具本体１６の装着部の内部に収まり、ランプ１０Ａを装着した部分が平坦になる。この平坦な状態の時に、電源（例えば、交流１００Ｖの商用電源）を接続すると、点灯装置１３１Ａから高周波の電圧が印加されて、バルブ１２Ａは発光する。
【００２１】
次に、照明器具本体１６からランプ１０Ａを取り外す操作について説明する。
まず、電源のスイッチを切る。
次に、図６（Ａ）に示すように、グローブ１４Ａの２箇所の凹部１４２を摘み、グローブ１４Ａをランプ本体１３Ａに対して横方向に回転させて、突起部１４１を縦溝１３３の位置まで移動させる。
【００２２】
次に、図５（Ｂ）に示すように、グローブ１４Ａをランプ本体１３Ａから下方向に滑らせる。その際に、グローブ１４Ａの突起部１４１が、ランプ本体１３Ａのストッパー部１３２と衝突するので、グローブ１４Ａがランプ本体１３から外れることはない。なお、この時に、グローブ１４Ａが照明器具本体１６の装着部から長さα突き出している。
【００２３】
次に、グローブ１４Ａを伸ばした状態で、ＧＸ５３用受け口金１５とＧＸ５３口金１１とが接する面の中心を通る鉛直線を軸として、グローブ１４Ａを回転させる。この場合、グローブ１４Ａの突起部１４１がランプ本体１３Ａの縦溝１３３に衝突するため、グローブ１４Ａとランプ本体１３とが一体的に回転する。そのため、ランプ１０Ａ全体が照明器具本体１６のＧＸ５３用受け口金１５に対して、図６（Ｂ）に示すように、回転する。ＧＸ５３口金１１の口金ピン１１１とＧＸ５３用受け口金１５の接続金具１５１との位置関係が、固定位置から分離可能位置に変わるので、ランプ１０Ａを照明器具本体１６から取り外すことができる。
ランプ１０Ａを照明器具本体１６に取り付けるときは、上述した操作を逆に行う。
【００２４】
以上説明したように、本実施形態に係るランプ１０Ａによれば、通常使用時には、薄型ランプとして使用することができ、照明器具本体１６からランプ１０Ａを脱着するときには、ランプ全長を伸張して作業しやすくすることができる。従って、特別な脱着工具を使用しなくても、ランプ１０Ａを照明器具本体１６から容易に脱着することができる。
また、本実施形態に係る照明器具本体１６は、通常使用時には、ランプ１０Ａと下面部とが平坦になり、照明器具本体１６からランプ１０Ａを脱着するときには、ランプ全長を伸張して取り付けや取り外しをしやすい形態にすることができる。
従って、照明器具本体１６は、平坦でデザイン性に優れ、且つ、ランプを脱着しやすく、メンテナンス性に優れている。 
【００２５】
（第２の実施形態）
第１の実施形態では、ランプ本体１３Ａの側部の外側とグローブ１４Ａの側部の内側とが接してスライドする構成であった。第２の実施形態では、ランプ本体１３Ｂの側部の内側とグローブ１４Ｂの側部の外側とが接してスライドする構造である。
【００２６】
本発明の第２の実施形態に係るランプ１０Ｂは、図７（Ａ）及び図７（Ｂ）に示すように、ＧＸ５３口金１１と、バルブ１２Ａと、点灯装置１３１Ａと、ランプ本体１３Ｂと、グローブ１４Ｂとを備える。なお、図１（Ａ）乃至図１（Ｃ）と、図７（Ａ）及び図７（Ｂ）との同一の構成要素には同一の符号を付し、同一の構成要素の説明は省略する。
【００２７】
ランプ本体１３Ｂは、その側部の内側がグローブ１４Ｂの側部の外側と嵌め合わすことができ、グローブ１４Ｂの側部の外側がランプ本体１３Ｂの側部の内側をスライドできるように側部の内側に縦溝１３３が形成されている。
グローブ１４Ｂの側部の外側は、ランプ本体１３Ｂの側部の内側と嵌め合わすことができ、グローブ１４Ｂの側部の外側には、突起部１４１が形成されている。
【００２８】
以上説明したように、ランプ本体１３Ｂの側部がグローブ１４Ｂの側部を覆う構成にすることにより、グローブ１４Ｂが照明器具本体１６の装着部分に接触したり引っ掛かったりせずに、スムーズに回転してランプ本体１３Ｂから引き出すことができる。
また、ランプ本体１３Ｂが照明器具本体１６の装着部の深さよりも厚い場合に、ランプ本体１３Ｂの側部を好みの色に塗装することができる。ランプ１０Ｂを設置する場所や照明器具本体に合わせた色にすることで、一体感のあるデザインにすることができる。
【００２９】
（第３の実施形態）
第１の実施形態では、発光部としてバルブ１２Ａを備えた。第３の実施形態では、発光部としてＬＥＤ（Ｌｉｇｈｔ  Ｅｍｉｔｔｉｎｇ  Ｄｉｏｄｅ）１２Ｃを備える。
【００３０】
本発明の第３の実施形態に係るランプ１０Ｃは、図８に示すように、ＧＸ５３口金１１と、ＬＥＤ１２Ｃと、点灯装置１３１Ｃと、ランプ本体１３Ａと、グローブ１４Ａとを備える。なお、図１（Ａ）乃至図１（Ｃ）と、図８との同一の構成要素には同一の符号を付し、同一の構成要素の説明は省略する。
【００３１】
図８に示すように、１又は複数のＬＥＤ１２Ｃが、ランプ本体１３Ａの装着部に装着されている。ＬＥＤ１２Ｃは、直流電圧が印加されると紫外線や赤外線を含まない可視光線を発光する。なお、ＬＥＤ１２Ｃは本発明の発光体の一例である。
点灯装置１３１Ｃは、ＧＸ５３口金１１を介して印加される交流電圧を直流電圧に変換して、直流電圧をＬＥＤ１２Ｃに印加して、ＬＥＤ１２Ｃを点灯する。
【００３２】
以上説明したように、本実施形態に係るランプ１０Ｃによれば、蛍光灯や白熱灯等の光源と異なり、紫外線や赤外線を含まない可視光によって周囲を照らすことができる。従って、ランプ１０Ｃは、紫外線に敏感な文化財や芸術作品を照射する際の照明に利用することができる。
【００３３】
（実施形態の変形例）
（ａ）ランプ１０Ａ、１０Ｂ、１０Ｃの底面（上面）の形状は、円形に限らず、四角形、六角形、八角形、星形等の形でもよい。
（ｂ）ランプ本体１３Ａ、１３Ｂに縦溝１３３を形成し、グローブ１４Ａ、１４Ｂに突起部１４１を形成する代わりに、ランプ本体１３Ａ、１３Ｂに突起部を形成し、グローブ１４Ａ、１４Ｂに縦溝を形成してもよい。
（ｃ）スライドする部分を突起部１４１と縦溝１３３とで形成する代わりに、歯車と歯車が噛み合うレール等で形成してもよい。
（ｄ）グローブ１４Ａ、１４Ｂに形成する凹部は、２箇所に限らず、３箇所、４箇所形成してもよい。さらに、グローブ１４Ａ、１４Ｂの側部部分に形成してもよい。
（ｅ）ＧＸ５３口金１１に限らず、ＩＥＣ規格のＥ２６型又はＥ１７型等の口金を備えてもよい。
（ｆ）ランプ１０Ａ、１０Ｂ、１０Ｃが装着された照明器具本体１６を装着部が凹に形成された天井や壁としてもよい。また、ランプ１０Ａ、１０Ｂ、１０Ｃをバルブ１２Ａ、ＬＥＤ１２Ｃが下方向や、横方向や、上方向を照らすように装着してもよい。
【００３４】
以上、本発明の実施形態について説明したが、設計上の都合やその他の要因によって必要となる様々な修正や組み合わせは、請求項に記載されている発明や発明の実施の形態に記載されている具体例に対応する発明の範囲に含まれると理解されるべきである。
【符号の説明】
【００３５】
１０Ａ、１０Ｂ、１０Ｃ    ランプ
１１    ＧＸ５３口金
１２Ａ    バルブ
１２Ｃ    ＬＥＤ
１３Ａ、１３Ｂ    ランプ本体
１４Ａ、１４Ｂ    グローブ
１５    ＧＸ５３ソケット
１６    照明器具本体
１３１Ａ、１３１Ｃ    点灯装置
１３２    ストッパー部
１３３    縦溝
１３４    横溝
１４１    突起部
【図１】
2010232075.tif 000003
【図２】
2010232075.tif 000004
【図３】
2010232075.tif 000005
【図４】
2010232075.tif 000006
【図５】
2010232075.tif 000007
【図６】
2010232075.tif 000008
【図７】
2010232075.tif 000009
【図８】
2010232075.tif 000010